Podtech/llm-jp-corpus-v4-ja_patent huggingface dataset:
(57)【要約】      （修正有）【課題】素人にも簡単で切り落としの無駄が無く、上手に魚を三枚におろす事が出来る包丁を提供する。【解決手段】包丁の面１の中央に凹部３を有し、頭を切り落とした魚の脊椎骨に凹部３を沿わせて、簡単で上手に切り開く事が可能である。凹部３は、包丁の柄４から刃先２に対して、直角方向以外の角度を有して設けられる。【選択図】図２
0003166648.tif 000002
【実用新案登録請求の範囲】
【請求項１】
包丁の面１の中央に凹部３を有し、頭を切り落とした魚の脊椎骨に凹部３を沿わせて、簡単で上手に切り開く事が可能な事を特徴とした、魚三枚おろし用包丁。
【請求項２】
凹部３は、基本的には包丁の柄４から刃先２に対して、直角方向に設置されるが、必要に応じ、直角方向だけで無く角度を付ける事が出来る事を特徴とした、請求項１に記載の魚三枚おろし用包丁。
【考案の詳細な説明】
【技術分野】
【０００１】本考案は、一般家庭等にて調理を行う程度の大きさの魚を、三枚におろす為の包丁に関するものである。
【背景技術】
【０００２】現在、一般家庭等にて魚を三枚におろすには、市販の一般的な包丁にて処理しているが、脊椎骨が邪魔をして素人にはなかなか上手にさばけなかった。
よって、素人にも簡単で上手に魚を三枚におろせる包丁が望まれた。
【先行技術文献】
【特許文献】
【０００３】
【特許文献１】実用新案公開平５−３９４６９
【特許文献２】登録実用新案第３１４９９１０号
【特許文献３】特許公開２００８−１２６０２８
【考案の概要】
【考案が解決しようとする課題】
【０００４】本考案の目的は、素人が魚を三枚におろそうとすると、切り落としの無駄が多く、上手におろす事が難しかった。  よって、素人にも簡単で切り落としの無駄が無く、上手に魚を三枚におろす事が出来る包丁を提供する事にある。
【課題を解決するための手段】
【０００５】現在、市販の一般的な包丁は、刃が真っ直ぐであるが、上記課題を解決するために、本考案の「魚三枚おろし用包丁」は、包丁の面１の中央に凹部３を有し、頭を切り落とした魚の脊椎骨に凹部３を沿わせて、簡単で上手に切り開く事が可能なことを特徴とした包丁である。本考案の「魚三枚おろし用包丁」は、必要に応じ、片刃  又は、両刃とする事が出来、材質も、鋼、ステンレス、セラミック等様々な材質に出来る。
又、凹部３は、基本的には包丁の柄４から刃先２に対して、直角方向に設置されるが、必要に応じ、直角方向だけで無く角度を付ける事が出来る。
【考案の効果】
【０００６】本考案の、「魚三枚おろし用包丁」は、素人にも簡単で上手に魚を三枚におろす事が出来る事を目的として考案した包丁で、用途に合わせて、刃渡り、刃幅、形状等は種々の物を選択出来、調理対象の魚に合わせて包丁を選択出来る事により、切り落としの無駄を無くし、簡単で上手に切り開く事が出来る。
【図面の簡単な説明】
【０００７】
【図１】  図１は、本考案の「魚三枚おろし用包丁」の、側面図
【図２】  図２は、本考案の「魚三枚おろし用包丁」の、上面図
【図３】  図３は、本考案の「魚三枚おろし用包丁」の、実施例
【考案を実施するための形態】
【０００８】（１）図１〜３は、本考案の「魚三枚おろし用包丁」を例示するもので、包丁の面１の中央に凹部３を有し、頭を切り落とした魚の脊椎骨に凹部３を沿わせて、簡単で上手に切り開く事が可能なことを特徴とした包丁である。
（２）本考案の「魚三枚おろし用包丁」は、必要に応じ、片刃  又は、両刃とする事が出来、材質も、鋼、ステンレス、セラミック等様々な材質に出来る。
（３）凹部３は、基本的には包丁の柄４から刃先２に対して、直角方向に設置されるが、必要に応じ、直角方向だけで無く角度を付ける事が出来る。
（４）素人にも簡単で上手に魚を三枚におろす事が出来る事を目的として考案した包丁で、用途に合わせて、刃渡り、刃幅、形状等は種々の物を選択出来、調理対象の魚に合わせて包丁を選択出来る事により、切り落としの無駄を無くし、簡単で上手に切り開く事が出来る。
【符号の説明】
【０００９】１  …  包丁の面
２  …  刃先
３  …  凹部
４  …  柄
【図１】
0003166648.tif 000003
【図２】
0003166648.tif 000004
【図３】
0003166648.tif 000005
【手続補正書】
【提出日】平成22年12月12日(2010.12.12)
【手続補正１】
【補正対象書類名】実用新案登録請求の範囲
【補正対象項目名】請求項２
【補正方法】変更
【補正の内容】
【請求項２】
凹部３が、包丁の柄４から刃先２に対して、直角方向以外の角度を有して設けられる、請求項１に記載の魚三枚おろし用包丁。
(57)【要約】      （修正有）【課題】５本指の靴や靴下、地下足袋のようにつま先が複数に分かれた履物を一般的な履物に見えるようにする履物カバーを提供する。【解決手段】複数指の靴、地下足袋、靴下の履物のつま先に装着できるカバーにおいて、ドーム型を半分にした形状の内側に親指と人差し指の間に鼻緒をつけ、ドーム型を半分にした形状の端に縫製又は面ファスナーをつけ、２箇所で装着することができ、機能を損なうことなくつま先の複数指部分を覆い隠した履物に見える様に該カバーを構成する。【選択図】図２
0003166642.tif 000002
【実用新案登録請求の範囲】
【請求項１】
複数指の靴、地下足袋、靴下などの履物のつま先を機能を損なうことなく覆い隠し一般的な履物に見えることを目的としたカバーである。
【考案の詳細な説明】
【考案の属する技術】
【０００１】本考案は、機能を重視して作られた５本指の靴や靴下、地下足袋のようにつま先が複数に分かれた履物を一般的な履物に見えるように考案された履物カバーに関するものである。
【背景技術】
【０００２】従来、５本指の靴、地下足袋、靴下などは機能のみを重視し、一般的に着用するには抵抗感をもつ人が多かった。
【考案が解決しようとする課題】
【０００３】このため従来、５本指の靴、地下足袋、靴下などは一般的に着用することは、敬遠されがちで利用者は少なく、せっかくの機能を持った商品も流通量はわずかであり問題であった。この問題を解決することが課題である。
【課題を解決するための手段】
【０００４】この問題を解決するために、機能を損なうことなく、履物のつま先を覆い隠し一般的に受け入れられるデザインに見え簡単に装着できるカバーを考案した。
【考案を実施するための形態】
【０００５】履物のつま先に一般的な靴の形状をした足底のないカバーを装着することが機能をそこなわずにできる最良の形体である。
【実施例】
【０００６】図１は複数指の靴であり、図２は複数指の部分を隠すためのカバーである。
図３はカバー正面の断面図で▲１▼鼻緒構造と装着位置を示し図２−▲２▼縫製又は面ファスナーと併用することで運動時でもカバーが靴にフィットし脱落することのないカバーを実現した。
【産業上の利用可能性】
【０００７】以上で説明したように、複数指の履物の機能を損なうことなく、一般的な履物に見えるカバーでデザイン的に違和感がなくなり、複数指の履物が、普段の履物として違和感なく使用できることで、機能プラスデザインを兼ね備え、複数指の履物の普及には最適である。
【図面の簡単な説明】
【０００８】
【図１】複数指の靴
【図２】複数指部分を覆い隠すカバー透視図
【図３】カバー正面断面図鼻緒の位置
【図４】複数指の靴にカバーを装着
【符号の説明】
【０００９】  ▲１▼鼻緒
▲２▼縫製又は面ファスナー
【図１】
0003166642.tif 000003
【図２】
0003166642.tif 000004
【図３】
0003166642.tif 000005
【図４】
0003166642.tif 000006
【手続補正書】
【提出日】平成22年12月10日(2010.12.10)
【手続補正１】
【補正対象書類名】実用新案登録請求の範囲
【補正対象項目名】全文
【補正方法】変更
【補正の内容】
【実用新案登録請求の範囲】
【請求項１】
複数指の靴、地下足袋、靴下の履物のつま先に装着できるカバーにおいて、ドーム型を半分にした形状の内側に親指と人差し指の間に鼻緒をつけ、ドーム型を半分にした形状の端に縫製又は面ファスナーをつけ、２箇所で装着することができ、機能を損なうことなくつま先の複数指部分を覆い隠し履物に見えることを特徴とするカバー。
(57)【要約】      （修正有）【課題】利き目が強すぎるため、フェースを正しく目標方向に合わせられないゴルファーが、本ゴルフ用サングラスをかけることで、ゴルフコースに於いて、違和感なくフェース面を正しく目標方向にセットすることが可能になるサングラスを提供する。【解決手段】左右、色の違うサングラスをかけることで利き目を緩和させる。利き目でない方の目にも刺激を与え、両方の目でボールとターゲットを視認させることを特徴とする。ミラーグラスにするなどの工夫をすれば見た目の違和感をなくすことが出来る。【選択図】図１
0003166629.tif 000002
【実用新案登録請求の範囲】
【請求項１】
左右の色や明るさを変える、又は電気信号のシャッター効果などで両目に刺激を与えることなどにより、利き目が強くなりすぎる状態を緩和させ、フェースをターゲットに正しくセット出来るようになることを特徴とするゴルフ用のメガネ。
【考案の詳細な説明】
【技術分野】
【０００１】本考案は、ゴルフをプレー中に正しくアライメントをするためのメガネに関するものである。
【背景技術】
【０００２】一般的なゴルファーはゴルフコースに於いて、利き目が強すぎるため、フェース面を正しく目標方向にセットすることが非常に困難である。【０００３】レッスン書などでは利き目でボールやターゲットを見よとある場合がほとんどだが、利き目で見てもターゲットに正しくフェースをセットすることは不可能である、というか、利き目が強すぎるので正しくあわせることができないのである。【０００４】訓練により、利き目をなくし、左右均等に目を使えるようになると簡単にフェースを正しくセットできるようになるのだが、その手法は困難で、仮に治ってもすぐ再発する。例えば、ゴルフ場に行く道中、車を運転したりするだけでどうしても利き目が強くなったりしてしまう。【０００５】ゴルファーはプレー中、マナー違反となるため、パッティングの際、カップ側、又は後方から、フェースを他人に確認してもらうことは不可能であるため気づかないのだが、ひっかけ（左へのミス）、押しだし（右へのミス）は最初からフェース面が目標に合っていない場合がほとんどである。現にそれらの癖があるプレーヤーも、ラインが引いてあるパターマットでボールを打つ時はそのような癖は全くでない。【０００６】ボールにラインを引き、ボールをセットする際に、そのラインを目標方向に合わせるという手法が、しばしばとられているのではあるが、アドレス時、実際に見えるラインとボールに引かれているラインとが違うため、疑心暗鬼に陥り、特にメンタルを重要視するゴルフというスポーツの性格上、うまくいかない場合が多い。そもそも、ボールに引いたラインを正確に合わせるのは大変困難であり、何度も修正したりする行為は遅延プレーを引き起こす。また、ティーショット以降、二打目からグリーンオンするまではボールに触れてはいけないため、この手法はとれない。
【考案が解決しようとする課題】
【０００７】ゴルフのプレー中、目標に対して正しくフェースを向けられるようにするためには、利き目をなくし、左右の目を均等に使わないといけない。
【課題を解決するための手段】
【０００８】本考案は左右の見え方が違うゴルフ用のメガネである。具体的には左右の色や明るさが違うサングラス、又は電気的に左右交互にシャッターシステムが行われるメガネなどである。
【０００９】本考案は利き目でない方の目にも刺激を与え、両方の目でボールとターゲットを視認させる所を最も大きな特徴とする。
【考案の効果】
【００１０】パッティングの際、目標に対して正しくフェースをセットできないプレーヤー数十人対して、左右色の違うサングラスをかけてもらって試したところ、全てのプレーヤーに著しい改善が見られた。
【図面の簡単な説明】
【００１１】
【図１】左右のガラスの色が異なる（例：右がブラウン、左がイエローなど）
【実施例】左右の色が違うサングラスは見た目に違和感があるため、ミラーグラスにするなどの工夫が必要である。
【図１】
0003166629.tif 000003
【手続補正書】
【提出日】平成22年8月31日(2010.8.31)
【手続補正１】
【補正対象書類名】実用新案登録請求の範囲
【補正対象項目名】全文
【補正方法】変更
【補正の内容】
【実用新案登録請求の範囲】
【請求項１】
左右の色や明るさが異なるゴルフ用の眼鏡。
電気信号により、左右の目で交互に目標物が見られるように特徴付けられたゴルフ用のメガネ。
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
サングラスに於けるレンズ部分の色又は明るさが左右で異なるゴルフ用の眼鏡。
(57)【要約】      （修正有）【課題】力の弱い子供と、力の弱くなった高齢者のかたなど、より多くの人々が容易に取り扱いできる飲料用ペットボトルのキャップを提供する。【解決手段】飲料用ペットボトルのキャップを大径化し、また、外形を円形から多角形に変更することよって、より容易に飲料ペットボトルを、取り扱うことが出来るようにする。キャップの大型化に伴い、キャップを手全体で保持することができるので、効率よく弱い力を使用できる。また、キャップの外形を多角形に変更することにより、滑りにくくなり、弱い力を効率よく使用できる。【選択図】図１
0003166630.tif 000002
【実用新案登録請求の範囲】
【請求項１】
飲料用ペットボトルの、キャップを大径化することで、弱い力を効率よく使用できる。
【請求項２】
飲料用ペットボトルキャップの、外形の多角形化（例、八角形）により、滑りにくくなる。
【請求項３】
飲料用ペットボトルの、キャップの大径化に伴い、ペットボトルの注ぎ口が、従来のものより大径化になれば、従来飲料を注ぐときに起こる、飲料の脈打ち現象も軽減できる。
【考案の詳細な説明】
【技術分野】
【０００１】本考案は、従来の飲料用ペットボトルの注ぎ口の大径化と、そのキャップの外形の変更
【背景技術】
【０００２】従来の飲料用ペットボトルキャップは、小径で外形も円形ため、力の弱い子供とか高齢者の方には、力が入りにくく、キャップを摘む指もすべって開けにくいことがあった。
【先行技術文献】
【特許文献】
【０００３】
【特許文献１】特許公開番号  ２００６−３０６４９１  考案者  高橋  幹夫
【考案の概要】
【考案が解決しようとする課題】
【０００４】キャップの縦溝部分を、大型の曲線溝を施す。【０００５】従来の飲料用ペットボトルでは、キャップが小径で、外形も円形のため、力の弱い子供と高齢者には、開けにくいことがある。
【課題を解決するための手段】
【０００６】本考案は、従来の飲料用ペットボトルの、キャップの縦溝部分を、大型の曲線溝を施すものではなく、キャップの大径化と外形の変更（円形から多角形へ）にて解決するものである。
【考案の効果】
【０００７】キャップの大型化に伴い、キャップを手全体で保持することができるので、効率よく弱い力を使用できる。また、キャップの外形を多角形に変更することにより、滑りにくくなり、弱い力を効率よく使用できる。
【図面の簡単な説明】
【０００８】
【図１】本考案のキャップ図
【図１】
0003166630.tif 000003
【手続補正書】
【提出日】平成22年10月10日(2010.10.10)
【手続補正１】
【補正対象書類名】実用新案登録請求の範囲
【補正対象項目名】全文
【補正方法】変更
【補正の内容】
【実用新案登録請求の範囲】
【請求項１】
飲料用ペットボトルキャップの外形を、滑りにくい多角形形状を有する多角形キャップにする。
【請求項２】
ペットボトルキャップ（外形を特徴とする請求項１記載の多角形キャップ）を、大径化することで弱い力を効率よく使用できる、多角形キャップ。
【手続補正３】
【補正対象書類名】図面
【補正対象項目名】図１
【補正方法】変更
【補正の内容】
【図１】
0003166630.tif 000004
【手続補正書】
【提出日】平成22年12月12日(2010.12.12)
【手続補正１】
【補正対象書類名】実用新案登録請求の範囲
【補正対象項目名】全文
【補正方法】変更
【補正の内容】
【実用新案登録請求の範囲】
【請求項１】
外形を多角形形状とした  飲料用ペットボトル用多角形キャップ。
(57)【要約】      （修正有）【課題】イカが外れずに、確実に掛かるヤエンを提供する。【解決手段】シーソーヤエンの押さえ棒とハリの付いている部分を一体的に作成し、その部品を軸ネジに取り付ける時に、糸かけ棒に押さえ棒を通し、押さえ棒を下に押すと軸ネジを支点としてハリ先が上に上がる。アジの餌にイカが食いついてシーソーヤエンがイカに近づくと、イカが押さえ棒を下方に押して行くことにより軸ネジを支点としてハリ先が上に上がる事でより上方のイカを掛けることが出来る。【選択図】図１
0003166627.tif 000002
【実用新案登録請求の範囲】
【請求項１】
ヤエンの軸ネジを支点として、糸かけ棒に通している押さえ棒が、アジの餌にイカが食いついてヤエンがイカに近づいて行く時、イカに押されて下に下がり、遊具のシーソーの様にハリが付いている方が上に上がる事により、確実にイカに掛ける事が出来る様にしたヤエン。
【考案の詳細な説明】
【技術分野】
【０００１】本考案は、イカ釣りの時、アジの餌にイカが食いついた時、ヤエンを入れてイカを確実に取ることが出来る様にしたものである。
【背景技術】
【０００２】従来は、ヤエンがイカに近づいていく時に、シーソーの様に片方がイカに押されて下に下がり、ハリの付いている方が上に上がりイカに掛かるものは無かった。
【考案の開示】
【考案が解決しようとする課題】
【０００３】従来は、アジの餌にイカが食いついた時、なんとなくヤエンに掛かっていたが、イカが外れる事も多かった。
この考案は、確実にヤエンがイカに掛かるようになされたものである。
【課題を解決するための手段】
【０００４】軸ネジ１を支点として、アジの餌にイカ６が食いついたら、イカ６に押されて、糸掛け棒４に通している押さえ棒３が下に下がり、遊具のシーソーの様にハリ２の付いている方が上に上がり、イカ６にハリ２が掛かり、簡単に掛ける事を特徴としたシーソーヤエン。
【考案の効果】
【０００５】イカがヤエンに確実に掛かり、イカが外れる事が無くなった。
【考案を実施するための最良の形態】
【０００６】本考案に係るシーソーヤエンは、図２に示す様に、軸ネジ１を支点として、アジの餌にイカ６が食いつくと、イカ６に押されて、糸掛け棒４に通している押さえ棒３が下に下がり、ハリ２の付いている方が上に上がり、シーソーの形になる様に作っている。
【図面の簡単な説明】
【０００７】
【図１】シーソーヤエンの断面図である。
【図２】アジの餌にイカが食いついた時、イカにハリが掛かったシーソーヤエンの断面図である。
【符号の説明】
【０００８】１    軸ネジ
２    ハリ
３    押さえ棒
４    糸掛け棒
５    オモリ
６    イカ
【図１】
0003166627.tif 000003
【図２】
0003166627.tif 000004
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
一本のステンレスのヤエンでなく、途中で軸ネジを作り、二本目の糸かけ棒に押さえ棒を通し、この押さえ棒とハリの付いている箇所が軸ネジを支点として、（上下に動く遊具のシーソーの様に）作られていて、餌のアジがイカに食いつき二本目の糸かけ棒に到達した時、押さえ棒がイカに押されて（負荷の法則により）糸かけ棒の一番下の所まで平行に下がり、それとは反対にハリの付いている箇所が自動的に上昇し、イカがかかる事を備えたヤエン。
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
押さえ棒とハリの付いている部分を一体的に作成し、その部品を軸ネジに取り付ける時に、押さえ棒が前方の糸かけ棒の上端と本体との間で上下に移動出来るように取り付ける、また押さえ棒は前方の糸かけ棒の上端より出ないようにし、ハリの付いている部分は、本体と一直線になるように作成する。アジの餌にイカが食いついてシーソーヤエンを使用する時は、糸かけ棒の２ヶ所に釣り糸を引っ掛けて釣り人の釣竿の高さにより滑らせて行き、シーソーヤエンがイカに到着するとイカが押さえ棒を、下方に押して行くことによりハリの付いている部分が徐々に上昇し、よりイカに掛かり良くしたものである。
【手続補正書】
【提出日】平成22年9月17日(2010.9.17)
【手続補正１】
【補正対象書類名】実用新案登録請求の範囲
【補正対象項目名】全文
【補正方法】変更
【補正の内容】
【実用新案登録請求の範囲】
【請求項１】
シーソーヤエンの押さえ棒とハリの付いている部分を一体的に作成し、その部品を軸ネジに取り付ける時に、押さえ棒が糸かけ棒の間で上下に移動できる構造に作成。
（押さえ棒を下に押すと軸ネジを支点としてハリ先が上に上がる構造）
アジの餌にイカが食いついてシーソーヤエンがイカに近づくと、イカが押さえ棒を下方に押して行くことにより軸ネジを支点としてハリ先が上に上がる事でより上方のイカを掛けることが出来るのを特徴としたシーソーヤエン。
【手続補正書】
【提出日】平成22年12月13日(2010.12.13)
【手続補正１】
【補正対象書類名】実用新案登録請求の範囲
【補正対象項目名】全文
【補正方法】変更
【補正の内容】
【実用新案登録請求の範囲】
【請求項１】
シーソーヤエンの押さえ棒とハリの付いている部分を一体的に作成し、その部品を軸ネジに取り付ける時に、糸かけ棒に押さえ棒を通し、押さえ棒を下に押すと軸ネジを支点としてハリ先が上に上がる構造とし、アジの餌にイカが食いついてシーソーヤエンがイカに近づくと、イカが押さえ棒を下方に押して行くことにより軸ネジを支点としてハリ先が上に上がる事でより上方のイカを掛けることが出来るのを特徴としたシーソーヤエン。
(57)【要約】      （修正有）【課題】釣鐘状の茶漉しの外周に１箇所もしくは２箇所以上、突起物を加工することにより茶漉しがポットや急須のヤエンに固定され落ちないため、片手で簡単にお茶の葉を処理できる急須セットを提供する。【解決手段】急須に茶漉しを装着するために、前記茶漉しの釣鐘状の外周に１箇所以上の突起物を設けた茶漉しで、さらに茶漉しの釣鐘状の内周に１箇所以上の突起物を設ける。加えて、急須の蓋と茶漉しのツバを載せるヤエンと呼ばれる急須内面の円環部分に、前記の茶漉しの外周突起物を差し込む切欠きを設ける。すなわち、茶漉しの釣鐘状の外周の１箇所もしくは２箇所以上の突起物をつけることにより、ポットや急須本体より茶漉しを取り出すことなくお茶の葉の処理、または茶漉しを洗うことが可能となった。【選択図】図１
0003166684.tif 000002
【実用新案登録請求の範囲】
【請求項１】
急須に釣鐘状の茶漉しを挿着して使用する茶漉しにおいて、前記茶漉しの釣鐘の外周に１箇所以上の突起物を設けたことを特徴とする茶漉し。
【請求項２】
上記茶漉しの釣鐘状の内周に１箇所以上の突起物を設けたことを特徴とする請求項１に記載の茶漉し。
【請求項３】
上記急須の蓋と上記茶漉しのツバを載せるヤエンと呼ばれる前記急須内面の円環部分に、前記の茶漉しの外周突起物を差し込む切欠きを設けたことを特徴とする請求項１もしくは請求項２に記載の茶漉し付急須セット。
【考案の詳細な説明】
【技術分野】
【０００１】本考案は、茶漉しに関するものであり、釣鐘状の茶漉しの外周に１箇所もしくは２箇所以上、突起物を加工することにより茶漉しがポットや急須のヤエンに固定され落ちないため、片手で簡単にお茶の葉を処理できるものである。
また、茶漉しの釣鐘状の内周にも少なくとも１箇所の突起物をつけることにより、簡単に茶漉しを取り出しができるものである。
【背景技術】
【０００２】古くからお茶を飲む道具としてポットや急須が使用されている。そのポットや急須には、茶葉を漉すために茶漉しが用いられており、旧来は本体に茶を漉すための急須の注ぎ口根元内側に一体型陶器茶こしが付いていたが、近年ではステンレス製やプラスチック製などの茶漉しを挿着して用いることが多い。茶漉しは茶葉を処理するたびに本体から取り出さなければならないようになっている。
【考案の概要】
【考案が解決しようとする課題】
【０００３】日常利用されるポットや急須には、茶漉しが用いられているが、茶葉の替えるたびに茶漉しを本体から取り出し、茶葉を捨て茶漉しを洗わなければならなかった。
【課題を解決するための手段】
【０００４】本考案は、釣鐘状の茶漉しを挿着して使用する急須の茶漉しにおいて、急須に茶漉しを到着するために、前記茶漉しの釣鐘状の外周に１箇所以上の突起物を設けた茶漉しで、さらに茶漉しの釣鐘状の内周に１箇所以上の突起物を設けたことを特徴とする茶漉しである。加えて、急須の蓋と茶漉しのツバを載せるヤエンと呼ばれる急須内面の円環部分に、前記の茶漉しの外周突起物を差し込む切欠きを設けたことを特徴とする、茶漉し付急須セットである。
なお、本考案での「茶漉し」は、ステンレス製とプラスチックス製及び、ポリプロピレン製を意味する。
【考案の効果】
【０００５】本考案は、上記構成としたことにより、以下に記載する効果を奏する。【０００６】すなわち、茶漉しの釣鐘状の外周の１箇所もしくは２箇所以上の突起物をつけることにより、ポットや急須本体より茶漉しを取り出すことなくお茶の葉の処理、または茶漉しを洗うことが可能となった。かつ、茶漉しの釣鐘状の内周に１箇所以上の突起物をつけることで茶漉しの取り出しが簡便にできるようになった。
【図面の簡単な説明】
【０００７】
【図１】本考案に係わる茶漉しの説明図である。
【図２】本考案に係わる急須の上面図である。
【図３】急須に茶漉しを装着した様子を示す図２のＡ−Ａ′矢視の断面図である。
【考案を実施するための形態】
【０００８】本考案に係る実施例について、図１から図３を参照して以下説明する。
【実施例】
【０００９】図１は本考案に係る１実施例を示す斜視図で、外側突起物１ａと内側突起物１ｂを突設した釣鐘状の茶漉し１を図示している。本実施例では、釣鐘状の茶漉し１の外周と内周にそれぞれ、外側突起物１ａと内側突起物１ｂを１箇所設けたが、必要に応じて、１箇所以上突設してもよい。【００１０】本考案の実施例においては、急須本体２に茶漉し１の外側突起物１ａを差し込むための切り口２ｂを１箇所設けたが、必要に応じて、１箇所以上設してもよいことは言うまでもない。【００１１】本考案の実施例においては、茶漉し１の外側突起物１ａを急須本体２のヤエン２ａ円環部分に引っかかるようにし、茶漉し１が急須本体２から落ちないようにした。【００１２】本考案の実施例においては、茶漉し１の内側突起物１ｂを介して、外側突起物１ａを差し込む急須本体２の切り口２ｂに合わせることで、茶漉し１を急須本体２から簡単に取り外すことができるように、茶漉し１の内側突起物１ｂを釣鐘状の茶漉し１の目印として設けた。
【産業上の利用可能性】
【００１３】本考案に係る茶漉しは、陶器、磁器、プラスチック製容器、ガラス製容器、ポリプロピレン製容器にも適応でき、急須の他に各種素材のポットにも適応できる。
【符号の説明】
【００１４】１    茶漉し
２    急須本体
３    取っ手
１ａ  外側突起物
１ｂ  内側突起物（目印）
２ａ  ヤエン
２ｂ  急須本体に茶漉しの外側突起物を差し込む切り口
【図１】
0003166684.tif 000003
【図２】
0003166684.tif 000004
【図３】
0003166684.tif 000005
(57)【要約】      （修正有）【課題】子供等が、石突きをわざと道路や地面に当てて磨耗させたり、ふざけて傘を振り回した時等に石突きが身体に当たる危険が少ない石突きを提供する。【解決手段】石突き１が、脱着用オネジ部と脱着用メネジ部でネジ留めして構成される傘２において、脱着用メネジ部を有する石突き１の外観が、立体形状にキャラクターデザインされている。【選択図】図１
0003166689.tif 000002
【実用新案登録請求の範囲】
【請求項１】
石突き（１）が、脱着用オネジ部（４）と脱着用メネジ部（５）でネジ留めして構成される傘（２）において、脱着用メネジ部（５）を有する石突き（１）の外観が、立体形状にキャラクターデザインされている事を特徴とする傘（２）の石突き（１）。
【請求項２】
前記石突き（１）が、合成樹脂、天然ゴム、合成ゴム又はエラストマー樹脂材料から形成される事を特徴とする請求項１に記載の石突き（１）。
【考案の詳細な説明】
【技術分野】
【０００１】  本考案は、傘の石突きに関し、立体形状にキャラクターデザインされた外観を有する石突きに関する。
【背景技術】
【０００２】  従来、傘の石突きは樹脂製の円錐台形状のものが多く、使用時に雨が傘の内側に入らないような機能的形状としたものであった。【０００３】  一方で傘をテーブルに置いたり、壁に立てかけたりした場合、石突きが滑るため、石突きの先端に滑り止め部材が、キャップ式としてはめ込んで滑り止めになる用具が提案されている。
【先行技術文献】
【特許文献】
【０００４】
【特許文献】  実用新案登録第３１５８３６６号
【考案の概要】
【考案が解決しようとする課題】
【０００５】  しかしながら、樹脂製の円錐台形状の石突きは、特に子供等が使用する場合、石突きをわざと道路や地面に当てて磨耗させたり、ふざけて傘を振り回した時等に石突きが身体に当たると大変危ないものであった。【０００６】  又、石突きの先端に滑り止め部材がキャップ式としてはめ込んで滑り止めとした用具も、石突きのオネジ部やメネジ部を利用して形成するものではなく、あくまでもキャップとして石突きに更に被せて使用するもので、外観も味気が無いという欠点があった。
【問題点を解決するための手段】
【０００７】  上記課題を解決するために本考案は、石突き（１）が、脱着用オネジ部（４）と脱着用メネジ部（５）でネジ留めして構成される傘（２）において、脱着用メネジ部（５）を有する石突き（１）の外観が、立体形状にキャラクターデザインされている。
本考案は以上のような構成からなる石突き（１）である。
【考案の効果】
【０００８】  本考案の石突きは以上のような構成であるため、元々の傘に付いていた樹脂製の円錐台形状の石突きをネジ部分で外して、本考案の石突きと取り替える。なお、外観が立体形状にキャラクターデザインされているため、石突きを道路や地面にわざと当てて磨耗することもほとんど解消される。
【０００９】  又、立体形状にキャラクターデザインされているため、人に当たっても危なくない安全なものとなる。
【００１０】  副次的効果として、キャラクターデザインされたものの種類が多いほど、他人の傘と区別もつきやすくなり、傘の使用時にも外観が可愛らしいため、傘自体を大切に扱うものとなる。
【図面の簡単な説明】
【００１１】
【図１】本考案の一実施例を示す斜視図である。
【図２】本考案の一実施例を示す斜視図である。
【図３】本考案の一実施例を示す断面図である。
【考案を実施するための形態】
【００１２】  本考案における石突きの大きさ、デザイン、材質、製造方法等は特に限定されることはない。
【００１３】  又、脱着用メネジ部のネジ山のピッチや深さは、交換する元々の石突きのものと同一になるよう形成しておくのが良い。
【００１４】  立体形状にキャラクターデザインされる外観としては、樹脂成形されるものが生産性やコストの観点から好ましい。
【００１５】  キャラクターデザインされる立体形状の外観としては、例えば犬、猫等の動物やアニメキャラクター等、様々なものが挙げられるが、種類のバリエーションを増やしておいて、使用者自らが好きなものを選択して取り替えられるものが好ましい。
【００１６】  なお、石突きに滑り止め効果を持たせるために、天然ゴム、合成ゴム又はエラストマー樹脂材料から形成しても良い。
以下、実施例と図に基づき説明する。
【実施例】
【００１７】  以下、本考案の一実施例を図１、図２及び図３で説明するが、これによって本考案は何ら限定されるものではない。【００１８】  図１は、本考案の一例の斜視図である。石突き（１）が、猫の顔の外観で立体的にキャラクターデザインされており、傘（２）の先端に取り付けられて反対には柄（３）がある状態を示している。【００１９】  図２は傘（２）の脱着用オネジ部（４）において図１の猫の外観を有する本考案の石突き（１）をネジ留めして装着した状態を示している。【００２０】  図３は、図１の猫の外観を有する本考案の石突き（１）の断面図を示しており、脱着用メネジ部（５）が設けられているのがわかる。
【産業上の利用の可能性】
【００２１】  石突きの外観が立体形状にキャラクターデザインされているため、子供等が石突きをわざと道路や地面に当てて磨耗することがほとんど無くなる。
【００２２】  更に、立体形状のキャラクターデザインに形成されているため、人に当たっても危険の少ない安全な石突きとなる。
【００２３】  又、様々なキャラクターデザインとすることが出来るため、デザインの違うもので他人の傘と区別がつきやすくなり、使用時も可愛らしく、傘自体を大切に扱う副次的効果もある。
【００２４】  特に、天然ゴム、合成ゴム又はエラストマー樹脂材料から形成された石突きであれば、地面や床に触れてもそのグリップ力で滑りにくくなる効果もある。
【符号の説明】
【００２５】  １  石突き    ２  傘    ３  柄    ４  脱着用オネジ部
５  脱着用メネジ部
【図１】
0003166689.tif 000003
【図２】
0003166689.tif 000004
【図３】
0003166689.tif 000005
(57)【要約】      （修正有）【課題】安全帯や作業ベルトなどのベルトに容易に取り付けることができるパッドで、遠方からでもハッキリと認識できるベルト取り付け反射パッドを提供する。【解決手段】安全帯や作業ベルトなどのベルトに容易に取り付けることができるパッドに反射材が付いており、長さは１００ｍｍ〜３００ｍｍである。【選択図】図１
0003166685.tif 000002
【実用新案登録請求の範囲】
【請求項１】
安全帯や作業ベルトなどのベルトに巻き付ける形状で容易に取り付けるための面ファスナーが付いているパッドで、パッドには反射材が付いており遠方からでもハッキリと認識でき長さが１００ｍｍ〜３００ｍｍで形成されることを特徴とするベルト取り付け反射パッド。
【請求項２】
クッション材やメッシュ生地を使用したことを特徴とする請求項１に記載のベルト取り付け反射パッド。
【考案の詳細な説明】
【技術分野】
【０００１】  本考案は安全帯や作業ベルトなどに容易に取り付けることができる反射材が付いたパッドに関するものである。
【背景技術】
【０００２】  従来から一般的に遠方からの視認性を良くするための商品として反射材を取り付けた安全ベストを身にまとい作業をする必要性があった。
【考案の開示】
【考案が解決しようとする課題】
【０００３】  しかし安全帯などを使用する高所作業場所では視認性を良くするため安全ベストと安全帯の２種類の異なる商品を身にまとう必要性があった。【０００４】  また安全ベストと安全帯２つの商品を着用することで着膨れを起こし作業などに悪影響を及ぼすこともある。【０００５】  本考案は安全帯や作業ベルトに容易に取り付けることができるように面ファスナーを使用しており、現在使用している安全帯や作業ベルトに取り付けることができる。また本考案を取り付けた安全帯を着用するだけで遠方な高所作業場所であってもハッキリと確認ができる。
【課題を解決するための手段】
【０００６】  安全帯や作業ベルトなどに容易に取り付けることができ、パッドには反射材が付いていることで遠方からでもハッキリと認識できることを特徴とする。
【考案の効果】
【０００７】  パッドに反射材が付いていることで遠方からでも認識しやすい。また現在使用している安全帯や作業ベルトにも面ファスナーで容易に取り付けることができる。【０００８】  パッドの生地はクッション材を使用することにより肩又は腰などの負担を軽減できる機能を有するものになる。そのほかメッシュ生地などを使うことにより通気性の良いパッドになる。
【考案を実施するための最良の形態】
【０００９】  パッドはベルトに巻き付ける形状で容易に取り付けるための面ファスナーが付いており長さが１００ｍｍ〜３００ｍｍで安全帯や作業ベルトに取り付けることができる。
【実施例】
【００１０】  図１は安全帯や作業ベルトにベルト取り付け反射パッドを取り付けた図である。
【産業上の利用可能性】
【００１１】  以上のように本考案によれば、安全帯や作業ベルトなどに容易に取り付けることができ遠方からでもハッキリと認識することができる。
【図面の簡単な説明】
【００１２】
【図１】本考案のベルト取り付け反射パッドを装着した状態を示す図である。
【図２】本考案のベルト取り付け反射パッドを示す表面図である。
【図３】本考案のベルト取り付け反射パッドを示す裏面図である。
【図４】本考案のベルト取り付け反射パッドを示す断面図である。
【符号の説明】
【００１３】    １  ベルト取り付け反射パッド
２  フルハーネス安全帯
３  作業ベルト
４  メッシュ材又はクッション材
５  反射材
６  面ファスナー
７  縫製
【図１】
0003166685.tif 000003
【図２】
0003166685.tif 000004
【図３】
0003166685.tif 000005
【図４】
0003166685.tif 000006
(57)【要約】      （修正有）【課題】回転歯車のみを交換または反転することで他の構成部品を交換することなく数機種の踵車の働きを一つの踵車で出来る製靴用踵車を提供する。【解決手段】踵車胴体に回転歯車を交換可能に取り付けた製靴用踵車において、肉厚部を有する回転歯車の、該肉厚部により形成される段部が回転歯車の全歯たけを超えた中心方向に位置されてなる。【選択図】図１
0003166690.tif 000002
【実用新案登録請求の範囲】
【請求項１】
踵車胴体に回転歯車を交換可能に取り付けた製靴用踵車において、肉厚部を有する回転歯車の、該肉厚部により形成される段部が回転歯車の全歯たけを超えた中心方向に位置されてなることを特徴とする製靴用踵車。
【請求項２】
踵車に取り付けた回転歯車を反転させて取り付けることが可能なことを特徴とする請求項１記載の製靴用踵車。
【考案の詳細な説明】
【技術分野】
【０００１】  この考案は製靴用踵車に関するものである。
【背景技術】
【０００２】  従来、製靴用踵車は模様幅寸法並びに模様付け位置高さが固定された踵車があり、模様幅や模様付け位置の変更毎に仕様寸法の踵車を購入する必要がある。
【先行技術文献】
【非特許文献】
【０００３】
【非特許文献１】  有限会社ヤマトク  ホームページ  ｈｔｔｐ：／／ｗｗｗ．ｔｃｔｖ．ｎｅ．ｊｐ／ｙａｍａｔｏｋｕ／記載、靴工具  Ｎｏ．１９９０１０  踵車  ｈｔｔｐ：／／ｗｗｗ．ｔｃｔｖ．ｎｅ．ｊｐ／ｙａｍａｔｏｋｕ／ｓｕｂ５．ｈｔｍ
【考案の概要】
【考案が解決しようとする課題】
【０００４】  しかしながら、靴の仕様により模様幅あるいは模様付け位置を変更する必要がある製靴において、同一機能で数種類を必要とする従来の踵車は道具の数量が増え、経済的負担が大きくなる問題がある。【０００５】  本考案は、以上のような非経済的で非合理的な問題を解消するため、模様付けする回転歯車のみを交換または反転することで複数の幅または位置高さの模様付けを一つの踵車で出来るようになされたものである。
【課題を解決するための手段】
【０００６】  本考案は従来の踵車の短所と不都合を解消するものであり、踵車胴体に回転歯車を交換可能に取り付けた製靴用踵車において、肉厚部を有する回転歯車の、該肉厚部により形成される段部が回転歯車の全歯たけを超えた中心方向に位置されてなる回転歯車、回転歯車を保持する胴体、回転歯車を固定するネジを有し、踵車胴体に取り付けた回転歯車を反転して取り付けることが可能なことを特徴としている。
【考案の効果】
【０００７】  上述の如く構成した本考案は、製靴用踵車の機種数の削減を解消するためのものであり、模様幅の異なる回転歯車のみを交換または反転することで熟練度に関わりなく、模様以外の痕を残さずに複数の模様付けが可能となり機種変更と同一の機能を得られ経済的な効果が図れる。
【図面の簡単な説明】
【０００８】
【図１】  本考案の組み立て水平断面図である。
【図２】  本考案の使用状態を示す斜視図である。
【図３】  本考案の模様幅交換用歯車を示す縦断面図である。
【考案を実施するための形態】
【０００９】  以下、本考案を実施するための形態について説明する。
図１に示すように、肉厚部７を有する回転歯車３の、該肉厚部７により形成される段部５が回転歯車３の全歯たけを超えた中心方向に位置されてなる回転歯車３を胴体１に取り付け、回転歯車３を胴体１にネジ４で固定する。
本考案は、以上のような構造である。
【００１０】  図２に示すように、これを使用するときは、必要に応じて希望する模様幅寸法の回転歯車３を胴体１にネジ４によって取り付け、本体柄を持ち、胴体１の突出された頭部２を靴のヒール上部に乗せ、回転歯車３の歯形部を押し当てて回転させることにより模様８を付けることができる。
【実施例】
【００１１】  図３を参照してこの考案の回転歯車の例を説明する。
回転歯車の形状は図３の通り（Ａ）または（Ｂ）がある。図３（Ａ）では回転歯車３の上部に偏して歯形部６が設けられている。歯形部６の下部には肉厚部７により形成された段部５が歯形部６の全歯たけを超えた中心方向に位置されている。図３（Ｂ）では、回転歯車３ａの略真中に偏して歯形部６が設けられている。歯形部６の上下部には肉厚部７により形成された段部５が歯形部６の全歯たけを超えた中心方向に位置されている。【００１２】  模様付けをする際に、回転歯車３は反転して取り付けることにより、図２の例より少し下の位置に模様８を形成させることができる。【００１３】  回転歯車３より模様幅を狭く、模様付け位置を下に変更する際は回転歯３ａを用いて胴体１に取り付け、歯形部をヒールに押し当てて回転させ、模様付けする。【００１４】  尚、模様幅の変更例は通常上記回転歯車３，３ａがあるが必ずしもこれに限定されるものでない。例えば肉厚部により形成される段部が上下部のほかに略真中に形成される回転歯車も揃えることができる。
【符号の説明】
【００１５】  １        胴体
２        胴体頭部突出部
３        回転歯
３ａ      回転歯
４        ネジ
５        段部
６        歯形部
７        肉厚部
８        模様
【図１】
0003166690.tif 000003
【図２】
0003166690.tif 000004
【図３】
0003166690.tif 000005
(57)【要約】      （修正有）【課題】静電気防止及びすべり防止の両方の機能を１足で有する、静電気・すべり防止靴を提供する。【解決手段】靴の中に導電材である銅繊維を織り込み形成する中敷２を敷き、靴底１は生ゴムに細い銅線を練り込んで形成する。中敷と靴底は銅製のリベット３で繋ぐものである。伝導率の高い銅金属を使うことにより、人体に帯電されている静電気を靴底より常時放電できる。アイスバーン状態の道路上では、エッジ効果が働き雨や雪道では毛細管現象による吸水効果がすべり防止になる。【選択図】図１
0003166683.tif 000002
【実用新案登録請求の範囲】
【請求項１】
銅繊維を織り込んで形成する中敷を敷き、生ゴムに細い銅線を練り込んで形成する靴底を取り付け、中敷きと靴底を銅金属のリベットで繋ぐ、静電気・すべり防止靴。
【考案の詳細な説明】
【技術分野】
【０００１】  本考案は静電気・すべり防止靴に関するものである。
【背景技術】
【０００２】  従来品の静電気防止靴及びすべり防止靴は、それぞれ機能別に製造されるものが多くあった。
【先行技術文献】
【特許文献】
【０００３】
【特許文献１】実願３１３１３９８号
【特許文献２】特許平１０−２３４４２１
【考案の概要】
【考案が解決しようとする課題】
【０００４】  しかしながら、静電気防止及びすべり防止の機能を兼ね備えた靴は数多くなかった。
【課題を解決するための手段】
【０００５】  本考案は靴の中に導電材である銅繊維を織り込んで形成する中敷を敷き、靴底は生ゴムに細い銅線を練り込んで形成する。中敷と靴底をアース線の役目をする銅のリベットで繋ぎ、人体に帯電した静電気を靴底より放電するものである。かつ該靴底は、アイスバーン状態の道路では練り込んだ銅線によるエッジ効果が働き、雨や雪道ではゴムと銅線のすき間には毛細管現象による吸水効果があるので、上記課題を解決するものである。
【考案の効果】
【０００６】  本考案に係る静電気・すべり防止靴は、四季を問わずに履くことができ、実用性に優れたものである。
【図面の簡単な説明】
【０００７】
【図１】本考案の実施例を示す断面図である。
【図２】本考案に係る図１における底面図である。
【考案を実施するための形態】
【０００８】  靴の中に銅繊維を織り込んで形成する中敷２を敷き、また、生ゴムに細い銅線を練り込んで形成する靴底１と、銅金属で形成するリベット３で繋ぐ。
【０００９】  上記工程により完成した静電気・すべり防止靴は、伝導率の高い銅金属を使うことにより、人体に帯電されている静電気を靴底より常時放電できる。アイスバーン状態の道路上では、エッジ効果が働き雨や雪道では毛細管現象による吸水効果がすべり防止になる。
【符号の説明】
【００１０】１  靴底
２  中敷
３  リベット
【図１】
0003166683.tif 000003
【図２】
0003166683.tif 000004
(57)【要約】【課題】  環境保全の面と保形具としての機能面の両方を満足するシャツの襟先保形具を得る。【解決手段】  シャツの襟先部分に設けられた収納部に装着されて型崩れを防止するシート状の保形具を耐水性、耐熱性有し、保形具として充分な硬度を持ちながら、微生物の分解により自然に還ることが可能な強化紙で形成した。【選択図】図２
0003166688.tif 000002
【実用新案登録請求の範囲】
【請求項１】
シャツの襟先部分に設けられた収納部に装着されて型崩れを防止するシート状の保形具を耐水性、耐熱性、保形性を有し、充分な硬度のある強化紙で形成したことを特徴とするシャツの襟先保形具。
【考案の詳細な説明】
【技術分野】
【０００１】  本考案は、シャツに装着して、シャツの保管、展示、着用等の際にシャツが型崩れしないようにするシャツの保形具に関するものである。
【背景技術】
【０００２】  近年、あらゆる分野で環境保全のために産業廃棄物の削減が要望されている。しかしながら、従来の一般的なシャツの型崩れ防止用の保形具はそのほとんどが石油を原料とした自然に還ることのないプラスチックで形成され、不要となったものはそのまま廃却されており、環境保全についての考慮がなされていない。
【考案の概要】
【考案が解決しようとする課題】
【０００３】  そこで、シャツの各部分の保形具を全て環境に優しい紙材で形成することを考案した。ところが、シャツの着用時に、その形を保つために襟先に装着されて使用される襟先保形具については、取外されることなく洗濯やアイロンがけをされる場合があり、紙材で形成すると、洗濯の際には保形具が水に濡れて、またアイロンがけの際には加熱されて、強度面で保形具としての機能を果たさなくなる課題があった。【０００４】  本考案は、上記課題を解決するもので、環境保全の面と保形具としての機能面の両方を満足するシャツの襟先保形具を提供することを目的とする。
【課題を解決するための手段】
【０００５】  本考案は、シャツの襟先部分に設けられた収納部に装着されて型崩れを防止するシート状の保形具を、耐水性、耐熱性を有すると共に保形具として充分な硬度を持っている強化紙で形成したことを特徴としたものである。
【考案の効果】
【０００６】  請求項１の構成により、保形具を形成する強化紙は、微生物の分解によって自然に還り、有害物質を出すことなく焼却処理できるため環境保全に適した保形具が得られる。また、耐水性、耐熱性に優れることから、通常の家庭で想定される洗濯やアイロンがけを行っても本来の襟形保形具としての特性が失われることもなく、環境保全の面と保形具としての機能面の両方を満足するシャツの襟先保形具が得られる。
【図面の簡単な説明】
【０００７】
【図１】本考案実施例のシャツの折り畳み状態を示す正面図
【図２】同上の襟先保形具を外した状態を示す襟部分の拡大図
【図３】同上の各部の保形具を外した状態を示す正面図
【考案を実施するための形態】
【実施例】
【０００８】  以下、本考案の実施例を示す図１乃至図３に基づいて説明する。図１および図３に示すように、シャツ１は折り畳み状態で保管、展示、着用等の際にシャツが型崩れを防止するために、シャツ１の各部分に挟み込んで保形具を装着するようになっている。【０００９】  シャツ１の襟部分には、折り畳み状態の際に、襟全体を保形する襟保形具２と、襟元を保形する襟元保形具３と、更には着用時に襟先を保形する襟先保形具４とが設けられており、該襟先保形具４は、図２において破線で表したように、シャツ襟裏部に袋状に形成された収納部５に取外し自在に装着されている。【００１０】  襟保形具２と襟元保形具３とは、一般の硬質シート状の紙材で形成され、襟先保形具４は、耐水性、耐熱性を有するシート状の硬質強化紙（例えば、各種工業材料にも用いられているバルカナイズドファイバー）で形成されている。【００１１】  更に、シャツ１の折り畳み状態において、シャツ全体を折り畳み状態に形作るシート状の保形台紙６と、袖等を保持するためにクリップ状に形成された本考案と同じ強化紙材からなる開き防止具７が装着されている。【００１２】  全ての保形具が装着された後、綿製の専用包装袋８に入れられる。【００１３】  而して、シャツ１を購入後着用の際には、襟先保形具４以外の保形具は取外して廃却され、襟先保形具４のみを装着した状態で着用されるが、着用後の洗濯やアイロンがけの際にも襟先保形具４を装着したままで行われる場合が考えられる。【００１４】  廃却に際しては、全ての保形具が紙材で形成されていることから、有害物質を出すことなく焼却処理できるため環境保全に適しており、また襟先保形具４は耐水性、耐熱性と保形具として十分な硬度を有する強化紙で形成されているために、装着したままで洗濯やアイロンがけをされても本来の襟先保形具としての特性が失われることがない。
【符号の説明】
【００１５】１  シャツ
２  襟台保形具
３  襟元保形具
４  襟先保形具
５  襟先保形具収納部分開き防止クリップ
６  保形台紙
７  開き防止クリップ
８  綿布製包装袋
【図１】
0003166688.tif 000003
【図２】
0003166688.tif 000004
【図３】
0003166688.tif 000005
(57)【要約】      （修正有）【課題】バネの代わりに磁石を活用することで、安全にまつげをカールできるようにしたまつげカーラーを提供する。【解決手段】まつげカーラーのハンドルに磁石を磁極が反発する方向にとりつける。これにより、ハンドルを握ることにより、反発している磁石が押圧されてまつげをはさむ開口部がとじ、まつげをカールすることができる。握るのをやめれば磁石の反発により、再び開口部が開く。磁石が反発することによりクッションの役目をし、折れたりする部位がなく、目や顔を傷つけることがない。【選択図】図２
0003166682.tif 000002
【実用新案登録請求の範囲】
【請求項１】
ハンドルに複数の磁石を磁極が反発する方向にとりつけたまつげカーラー
【考案の詳細な説明】
【技術分野】
【０００１】本考案はまつげをカールするまつげカーラーに関するものである。
【背景技術】
【０００２】従来のまつげカーラーには［図１］のようにハンドルにバネをつけたものがある。
【考案の開示】
【考案が解決しようとする課題】
【０００３】従来のまつげカーラーには［図１］のようにハンドルにバネをつけたものがある。バネはキズがついたり、サビたりして使用中に折れる事があり、目や顔に傷をつけるおそれがあり、危険である。
【課題を解決するための手段】
【０００４】［図２］は本考案のハンドルに磁石を磁極が反発する方向にとりつけたまつげカーラーを提供する。
【考案の効果】
【０００５】本考案では磁石が反発することによりクッションの役目をし、折れたりする部位がなく、目や顔を傷つけることがない。
【実施例】
【０００６】本考案のまつげカーラー［図２］はハンドルを握ることにより、反発している磁石が押圧されてまつげをはさむ開口部がとじ、まつげをカールすることができる。握るのをやめれば磁石の反発により、再び開口部が開く。
【産業上の利用可能性】
【０００７】バネ部を持たないので折れたりする部位がなく、安全にまつげをカールすることができる。
【図面の簡単な説明】
【０００８】
【図１】従来のハンドルにバネをつけたまつげカーラー
【図２】本考案のハンドルに磁石をとりつけたまつげカーラー
【図１】
0003166682.tif 000003
【図２】
0003166682.tif 000004